(57)【要約】【課題】  洗浄液を循環使用する循環式トイレに用いられる脱臭組成物において薬剤の使用量を少なくするとともに、より安全な循環式トイレ用脱臭組成物を提供することを目的とする。【解決手段】  上記の脱臭組成物として、１，３−ジアセトキシ−２−ブロモ−２−ニトロプロパンを含有するものを用いる。この成分は、し尿の腐敗の原因となる腸内細菌や微生物などに対して強い殺菌性があり、極めて有効にし尿の腐敗を防止する。前記組成物は、前記成分に芳香剤、着色剤、界面活性剤及び安定増量剤などの添加剤が加えられて使用される。前記成分は一般的な可燃性有機物が全て該当する第４類の危険物であり、極めて安全な物質である。【特許請求の範囲】
【請求項１】
洗浄液を循環使用する循環式トイレに用いられる脱臭組成物において、１，３−ジアセトキシ−２−ブロモ−２−ニトロプロパンを含有することを特徴とする循環式トイレ用脱臭組成物。
【請求項２】
１，３−ジアセトキシ−２−ブロモ−２−ニトロプロパンを溶媒に溶解した溶液を、無水のアルカリ金属塩またはアルカリ土類金属塩からなる粉末状の安定剤に混合してなることを特徴とする請求項１に記載の循環式トイレ用脱臭組成物。
【発明の詳細な説明】
【技術分野】
【０００１】
本発明は、洗浄水を循環使用する循環式トイレ用脱臭剤組成物に関するものである。
【背景技術】
【０００２】
列車、バス、航空機、船舶等の水洗トイレ設備においては、循環式トイレを用いる場合が多い。循環式トイレは、洗浄液により便器内が洗い流され、し尿などは汚物タンクへと流れ、次にトイレを使用するときに汚物タンク内の液体が濾過器を通って循環パイプを介して再度便器へ洗浄液として供給されるようになっている。この種のトイレは洗浄液を循環しようできる利点がある反面、し尿を含有する洗浄水から強い臭気が発生し易くなる問題があった。
【０００３】
この悪臭の除去方法として、（１）香料等の芳香剤により悪臭をマスキングする感覚的脱臭法、（２）グリオキザール、硫酸第一鉄等の化学脱臭剤と悪臭物質との反応により悪臭物質を無臭化する化学脱臭法、（３）活性炭等の吸着剤により悪臭を吸着除去する物理的脱臭法、（４）微生物により悪臭物質を分解して無臭化する生物的脱臭法などがある。
【０００４】
ところでし尿から発生する悪臭物質は、硫化水素等の硫黄化合物とアンモニアとを主成分としている。これらは排泄時にし尿中に含まれるものと、排泄後し尿中に含まれる腸内細菌等の微生物により、し尿の腐敗分解により発生するものとがあり、後者が前者に比べて圧倒的に多い。このため循環式トイレでは、特定の装置を必要とする物理的脱臭法、無臭化に時間のかかる生物的脱臭法を用いることは困難である。また感覚的脱臭法や化学的脱臭法では、尿の腐敗分解で発生した悪臭成分を香料や化学脱臭剤によってマスキングまたは中和しなければならないため、その使用量は多量になる欠点がある。
【０００５】
そこで、特許文献１には、薬剤の使用量を少なくし、香料、着色剤等の添加が可能でかつ活性汚泥への悪影響が小さい循環式トイレ用脱臭組成物として、２−ブロモ−２−ニトロ−１、３−プロパンジオールを用いることが記載されている。これは、良好なし尿腐敗分解防止剤であると共にし尿の分解生成物に対しては優れた脱臭作用を有するものであり、実際列車の循環式トイレにおいてマスキング剤の香料と併用されて実用化されている。
【０００６】
しかしながら２−ブロモ−２−ニトロ−１、３−プロパンジオールは爆薬が該当する第５類危険物に分類され、このため安全性という面では課題があり、また
循環式トイレ用脱臭剤の全体の重量に対して使用される２−ブロモ−２−ニトロ−１、３−プロパンジオールの重量の割合（重量％）は３０〜４０％と、かなり多いというのが現実である。このため循環式トイレ用脱臭剤として薬剤の使用量のより少ないものが求められている。
【０００７】
【特許文献１】特開平２−１５４７６４：請求項１
【発明の開示】
【発明が解決しようとする課題】
【０００８】
本発明はこのような事情の下になされたものであり、その目的は、本発明は薬剤の使用量を少なくするとともに、より安全な循環式トイレ用脱臭組成物を提供することを目的とする。
【課題を解決するための手段】
【０００９】
本発明の循環式トイレ用脱臭組成物は、１、３−ジアセトキシ−２−ブロモ−２−ニトロプロパンを含有するものである。この成分の構造式（化１）を以下に示しておく。
【００１０】
【化１】
2006102695.tif 000002
【００１１】
前記成分は、し尿の腐敗の原因となる腸内細菌や微生物などに対して強い殺菌性があり、極めて有効にし尿の腐敗を防止する。循環式トイレ用脱臭組成物は、前記成分のみからなるものであってもよいが、芳香剤、着色剤、界面活性剤及び安定増量剤などの添加剤を加えることが好ましい。前記成分と添加剤との配合比は特に制限されるものではない。
【００１２】
芳香剤としては、例えばブチルカルビトールを主成分とする油性液体状のものを挙げることができ、また着色剤としては青色１号の染料などを挙げることができる。更に界面活性剤としては例えばＥＯ付加型第２級アルコール系ノニオン界面活性剤などを挙げることができる。安定剤（増量剤）としては、アルカリ金属の塩またはアルカリ土類金属の塩からなる安定剤、例えばそれらの金属の硫酸塩が好ましく用いられる。例えば、ＭｇＳＯ4、Ｎａ2ＳＯ4、またはＣａＳＯ4などの粉末状の無水物は、特に好ましく用いられる。
【００１３】
本発明の循環式トイレ用脱臭組成物を構成する１，３−ジアセトキシ−２−ブロモ−２−ニトロプロパンは、例えば水やアルコールなどの有機溶媒に溶解させてから安定剤と混合される。例えば、前記ＭｇＳＯ4またはＮａ2ＳＯ4の粉末状の無水物を安定剤として使用した場合、有機溶媒を構成する分子の水酸基、或いは水分子がこれらの安定剤を構成する分子の周囲に配位されて、安定剤を構成する分子と速やかに結合する。この結合に伴い、これらの溶媒に溶解されている殺菌成分である１，３−ジアセトキシ−２−ブロモ−２−ニトロプロパン分子も安定剤分子の周囲に速やかに配位されて、安定剤を構成する分子と結合することで安定化される。このことは、言い換えれば安定剤の粒子の中に上記の殺菌成分が取り込まれるということであり、このため所定量の粉末状の安定剤と所定量の液体状の殺菌剤とを混ぜて粉末状の脱臭組成物を得ようとする場合、殺菌成分が安定剤の粒子の中に取り込まれずに表面に付着している状態のものに比べて、粒子表面の液体分は少ない。即ち脱臭組成物が見掛上乾いている状態であって流動性がよく、このため例えば脱臭組成物の分配作業を容易に行うことができるといった利点がある。更にまた殺菌成分が安定剤の粒子の中に浸透することから、少ない安定剤で安定した殺菌、脱臭効果を得ることができる。
【００１４】
本発明の循環式トイレ用脱臭組成物は、列車、バス、航空機、船舶等の水洗トイレ設備に適用できるが、陸上の公共施設のトイレ設備に適用してもよい。この組成物を循環式トイレに使用する場合、その使用量についてはし尿を抜き取るまでの時間に応じて適宜決められるが、列車車両であれば汚物タンクへの張り込み水に対して、０．３ｇから１．０ｇ／リットル程度の割合で使用すればよいと把握している。
【００１５】
特許文献１に記載されている２−ブロモ−２−ニトロ−１、３−プロパンジオールは爆薬等が該当する第５類危険物であるが、１、３−ジアセトキシ−２−ブロモ−２−ニトロプロパンはごく一般的な可燃性有機物が全て該当する第４類の危険物であり、極めて安全な物質である。
【発明の効果】
【００１６】
本発明の循環式トイレ用脱臭組成物に含まれる１、３−ジアセトキシ−２−ブロモ−２−ニトロプロパンは極めて良好なし尿腐敗防止剤であるとともに、し尿の分解生成物に対しては脱臭作用を有するため、極めて優れた脱臭効果を示す。したがって、洗浄水を循環使用する循環式トイレ用脱臭組成物として極めて有効である。また１、３−ジアセトキシ−２−ブロモ−２−ニトロプロパンは２−ブロモ−２−ニトロ−１、３−プロパンジオールよりも安全な物質であるとともに、少ない使用量で同等の脱臭効果を得ることが出来るため、低コスト化を図ることができる。
【００１７】
１，３−ジアセトキシ−２−ブロモ−２−ニトロプロパンを水や有機溶媒に溶解させてから無水物であるＭｇＳＯ4やＮａ2ＳＯ4などからなる粉末状の安定剤に混合すると、１，３−ジアセトキシ−２−ブロモ−２−ニトロプロパン（殺菌成分）分子が当該安定剤分子の周囲に速やかに配位される。したがって、安定剤に対する溶媒の浸潤が抑えられるため、安定剤の使用量を少なくできるといった効果がある。
【実施例】
【００１８】
本発明の脱臭組成物として、殺菌成分（薬剤）である１、３−ジアセトキシ−２−ブロモ−２−ニトロプロパンに安定剤、芳香剤、着色剤及び界面活性剤を添加したものを、配合比を代えて２種類作成した。これらを実施例１及び２とする。また比較例の脱臭組成物として、特許文献１に記載されている２−ブロモ−２−ニトロ−１、３−プロパンジオールに安定剤、芳香剤、着色剤及び界面活性剤を添加したものを、配合比を代えて２種類作成した。これらを比較例１及び２とする。各組成物の配合比（質量比）は表１に示すとおりである。
【００１９】
【表１】
2006102695.tif 000003
【００２０】
このようにして得られた脱臭組成物０．２ｇを水２００ｍｌに溶解し、１リットルのガラス瓶に入れ、この中に生し尿１００ｍｌを入れてガラス管で外気と通じる様にゴム栓をし、３５℃で３日間放置した。そして１時間、２４時間、４８時間、７２時間経過後の各々において、前記ガラス管を通じて外気をガラス瓶内に送り込むことで、ガラス瓶中に蓄積している空気を当該ガラス瓶に接続された他のガラス管を介して、ガス検知管へと送り込んだ。このようにしてガラス瓶中に蓄積した悪臭物質であるアンモニアおよび硫化水素濃度を測定した。また２４時間、４８時間経過時のガス検知後には、ガラス瓶に生し尿を更に１００ｍｌ追加して加えた。測定の結果を表２に示す。
【００２１】
【表２】
2006102695.tif 000004
【００２２】
表２の結果より本発明の循環式トイレ用脱臭組成物によれば薬剤の配合比が５％のものであっても、７２時間後においても、アンモニアおよび硫化水素がほとんど検出されず、優れた脱臭効果が維持できる。これに対して比較例１では２４時間後にはアンモニアが既に検出され、４８時間後は硫化水素も検出され脱臭作用が失効している。また比較例２では、７２時間後にアンモニアが検出されており、薬剤の配合比は、実際に使用する場合には３０％よりも多くする必要があることが伺える。従って本発明の脱臭組成物によれば、前記殺菌成分である薬剤の使用量が少量でありながら、極めて優れた脱臭効果を示すことが理解される。